(57)【要約】【課題】ケースの強度を確保しながら狭いスペースにより多くの電線挿通孔を形成することができる速結端子装置を提供する。【解決手段】  ケース１が上面部６を有し、上面部６の一方向に複数の電線挿通孔７ａ〜７ｆを千鳥状に並べて形成している。端子板２はケース１内に配設されて各電線挿通孔７ａ〜７ｆから挿通された電線導体を接続するものである。複数の鎖錠ばね３はケース１内に配設されて各電線挿通孔７ａ〜７ｆから挿通された電線導体を端子板２に押圧接続する。【選択図】        図１
2006066183.tif 000002
【特許請求の範囲】
【請求項１】
上面部を有し前記上面部の一方向に複数の電線挿通孔を千鳥状に並べて形成したケースと、このケース内に配設されて各電線挿通孔から挿通された電線導体を接続するための端子板と、前記ケース内に配設されて各電線挿通孔から挿通された前記電線導体を前記端子板に押圧接続する複数の鎖錠ばねとを備えた速結端子装置。
【請求項２】
前記複数の電線挿通孔は、前記上面部において、前記電線挿通孔の前記一方向およびそれに直角な方向の接線上に、隣合う前記電線挿通孔の一部が重なる関係で配置されている請求項１記載の速結端子装置。
【請求項３】
前記ケースの前記上面部の中央に取付孔を形成し、前記取付孔を間にして前記一方向の両側にそれぞれ前記複数の電線挿通孔が配置され、かつ前記取付孔の両側の前記複数の電線挿通孔が前記取付孔に対して対称である請求項１または請求項２記載の速結端子装置。
【請求項４】
前記ケースは、前記取付孔の両側に対称に配置された３つの相隣合う電線挿通孔において、前記一方向の直線上に並ぶ２つの前記電線挿通孔の間に前記端子板を取着する引掛部を内部に有し、前記端子板は前記引掛部を受ける引掛受け部を有する請求項３記載の速結端子装置。
【発明の詳細な説明】
【技術分野】
【０００１】
本発明は、ねじによらずに電線導体を接続する速結端子装置に関するものである。
【背景技術】
【０００２】
分電盤に配設されるアース端子用の従来の速結端子装置は、ケースの上面に複数の電線挿通孔を一直線上に並べて形成するとともに、２つの電線毎に解錠を行うための解錠ボタンを電線挿通孔間に隣接配置している（特許文献１参照）。
【特許文献１】特開2000−243483号（特許第3520796号）
【発明の開示】
【発明が解決しようとする課題】
【０００３】
従来の速結端子装置は、分電盤のアース端子用として用いられているので、電線を一度接続すると外すことは殆どない。一方、近年の電気機器はアース接続機器が増加している。そこで、解錠ボタンを無くして一つの速結端子装置に接続する電線を増やすことが考えられている。
【０００４】
しかし、電線挿通孔を直線状に並べて形成した場合、限られた長さのケース内で電線挿通孔を増やそうとすると、各電線挿通孔間の間隔が狭くなってケースの強度を確保できないという問題がある。一方、電線挿通孔の並び方向と直角な方向にケースのスペースがある場合に、上記のように複数の電線挿通孔を直線状に並べることは、スペースの有効利用にはならない。
【０００５】
したがって、本発明の目的は、ケースの強度を確保しながら狭いスペースにより多くの電線挿通孔を形成することができる速結端子装置を提供することにある。
【課題を解決するための手段】
【０００６】
本発明の速結端子装置は、ケースが上面部を有し、前記上面部の一方向に複数の電線挿通孔を千鳥状に並べて形成している。端子板はケース内に配設されて各電線挿通孔から挿通された電線導体を接続するためにある。複数の鎖錠ばねは前記ケース内に配設されて各電線挿通孔から挿通された前記電線導体を前記端子板に押圧接続する。
【０００７】
上記構成において、前記複数の電線挿通孔は、前記上面部において前記電線挿通孔の前記一方向およびそれに直角な方向の接線上に、隣合う前記電線挿通孔の一部が重なる関係で配置されている。
【０００８】
上記構成において、前記ケースの前記上面部の中央に取付孔を形成し、前記取付孔を間にして前記一方向の両側にそれぞれ前記複数の電線挿通孔が配置され、かつ前記取付孔の両側の前記複数の電線挿通孔が前記取付孔に対して対称である。
【０００９】
上記構成において、前記ケースは、前記取付孔の両側に対称に配置された３つの相隣合う電線挿通孔において、前記一方向の直線上に並ぶ２つの前記電線挿通孔の間に前記端子板を取着する引掛部を内部に有し、前記端子板は前記引掛部を受ける引掛受け部を有する。
【発明の効果】
【００１０】
本発明の速結端子装置によれば、電線挿通孔を千鳥状に形成することにより、直線状に形成したものに比べ、ケースの強度を確保しながら狭いスペースにより多くの電線挿通孔を形成することができる。
【００１１】
電線挿通孔の相互は電線挿通孔の縦横方向の接線に、隣り合う電線挿通孔の一部が重なるため、電線挿通孔同士の距離を短くすることができ、本発明の速結端子装置と同数の電線挿通孔を一列に形成したものと比べ、ケースの大きさを小さくすることができる。
【００１２】
取付孔の両側に複数の電線挿通孔を対称に形成したため、ケースを取付孔を中心に反転して取り付けても電線挿通孔の位置が同じとなるので取付方向間違いによる着脱作業を行う必要がなく、ケースを取付ける作業が容易となる。
【００１３】
端子板を取着する引掛部を電線挿通孔の一方向の直線上に並ぶ２つの電線挿通孔間に形成したため、引掛部も千鳥配置にすることができ、ケースのスペースを有効活用することができる。
【発明を実施するための最良の形態】
【００１４】
本発明の一実施の形態の速結端子装置は、ケース１内に端子板２および鎖錠ばね３を配設し、ケース１内に挿入した電線導体４を鎖錠ばね３で端子板２に押圧接続する。
【００１５】
ケース１は、周側壁部５および上面部６を有し、下端に開口を有する底部のない箱形であり、上面部６の一方向Ｐすなわち長手方向に複数の電線挿通孔７を千鳥状に並べて形成している。これらの電線挿通孔７は、図２に示すように上面部６において、各電線挿通孔７の一方向Ｐおよびそれに直角な方向の接線Ｑ１、Ｑ２上に、隣合う前記電線挿通孔７の一部が重なる関係で配置されている。またケース１の上面部６の中央に取付孔８を形成し、取付孔８を間にして長手方向の一方側の複数の電線挿通孔７ａ〜７ｃと他方側の複数の電線挿通孔７ｄ〜７ｆとを取付孔８に対して対称に形成している。さらに上面部６の取付孔８の両側の対称な配置をなして相隣合う３つの電線挿通孔７ａ〜７ｃと７ｄ〜７ｆにおいて、上面部６の長手方向の一直線上に配設された２つの電線挿通孔７ａと電線挿通孔７ｃの間、および２つの電線挿通孔７ｄと電線挿通孔７ｆの間にそれぞれ端子板２を取着する引掛部９を形成している（図３、図４参照）。これにより一対の引掛部９は取付孔８に対して対称に配置されている。１０は引掛部９を形成するための金型の抜き孔である。
【００１６】
端子板２は、両側より一対の側板１１ａ、１１ｂを折曲し、両端より側板１１ａ、１１ｂの外側に接続部１２を延出している。この場合、側板１１ａ、１１ｂはケース１に被覆され、かつ接続部１２はケース１の外方にはみ出すように寸法設定されている。接続部１２に電線接続ねじ１３を設けている。このようにして側板１１ａ、１１ｂがケース１内に配設されると、各電線挿通孔７から挿通された電線導体４が側板１１ａ、１１ｂに接触可能となる。また端子板２はケース１の引掛部９に対応して引掛部９を受ける引掛受け部１４を孔により形成している。１５はケース１を端子板２に被せた際に引掛部９を引掛受け部１４に案内する切欠である。したがって、ケース１を側板１１ａ、１１ｂに被せる際に引掛部９が切欠１５にガイドされ、側板１１ａ、１１ｂを乗り越えて引掛受け部１４に引っ掛かる。
【００１７】
鎖錠ばね３は、板ばねの一端をくの字に折り返して鎖錠片１６を形成し、他端を鎖錠片１６の内側に折込みさらに外側に折り返して押圧片１７を形成している。各鎖錠ばね３を端子板２の側板１１ａ、１１ｂ間に押圧片１７を下にして収め、ケース１を側板１１ａ、１１ｂに被せることにより、ケース１の上面部６の裏面側に設けた突出部１９で鎖錠片１６を押さえ、これにより鎖錠ばね３の中央部３ａの背面側を側板１１ａ、１１ｂの一方の内面に当接して、鎖錠ばね３を一対の側板１１ａ、１１ｂ間に位置決めしている（図５参照）。この場合、側板１１ａ、１１ｂの一方すなわち、ケース１の周側壁部５の短手方向に対向する壁の一方に近い電線挿通孔７ｂ、７ｄ、７ｆについては鎖錠ばね３の中央部３ａが周側壁部５の短手方向に対向する壁の他方側に位置する端子板２の側板１１ｂの内面に当接し、周側壁部５の短手方向に対向する壁の他方側に近い電線挿通孔７ａ、７ｃ、７ｅについては鎖錠ばね３の中央部３ａが周側壁部５の短手方向に対向する壁の一方側に位置する端子板２の側板１１ａの内面に当接している。それぞれの電線挿通孔７より電線導体４が差し込まれると、図５から図６に示すように、電線導体４が鎖錠片１６を乗り越え、押圧片１７が電線導体４を側板１１ａまたは側板１１ｂに押圧し、電線導体４の抜き方向には鎖錠片１６が電線導体４に食い込むことにより抜け止めされて接続状態とする。なお複数の鎖錠ばね３の相互間には絶縁板１８を介在している。
【図面の簡単な説明】
【００１８】
【図１】本発明の第１の実施の形態の分解斜視図である。
【図２】組立状態の平面図である。
【図３】ケースの裏面図である。
【図４】ケースの引掛部を端子板の引掛受け部に引っ掛けた状態の断面図である。
【図５】電線導体を接続する前の状態の断面図である。
【図６】電線導体を接続した状態の断面図である。
【図７】図２のＡ−Ａ線断面図である。
【符号の説明】
【００１９】
１    ケース
２    端子板
３    鎖錠ばね
４    電線導体
６    上面部
７    電線挿通孔
８    取付孔
９    引掛部
１４    引掛受け部
【図１】
2006066183.tif 000003
【図２】
2006066183.tif 000004
【図３】
2006066183.tif 000005
【図４】
2006066183.tif 000006
【図５】
2006066183.tif 000007
【図６】
2006066183.tif 000008
【図７】
2006066183.tif 000009